(57)【要約】【課題】草刈機の回転刃が支柱の保護カバーに当たってもカバー自体が余り傷つかず、回転歯も傷まないようにする保護カバーを提供する。【解決手段】ガードレール支柱８に装着する保護カバー１を硬質樹脂または硬質ゴムで形成し、該支柱８に回転可能に装着するようにした。また保護カバーを縦に２分割した２個の半割円筒２、３に形成し、一方の接合部分をヒンジ４で連結し、他方側の接合部分に係止筒５、６を双方から突出させて設け、そして両端を接合したときに相互に嵌り合った係止筒５、６の穴に係止ピン７を差し込んで支柱８に装着するようにした。さらに半割円筒２、３の内周中央に突帯９を設け、保護カバー１と支柱８間に空隙１０を持たせるようにした。【選択図】図１
0003117228.tif 000002
【実用新案登録請求の範囲】
【請求項１】
ガードレール支柱（８）に装着する保護カバー（１）を硬質樹脂または硬質ゴムで形成し、該支柱（８）に回転可能に装着するようにしたガードレール支柱の保護カバー。
【請求項２】
前記保護カバーを縦に２分割した２個の半割円筒（２）、（３）に形成し、一方の接合部分をヒンジ（４）で連結し、他方側の接合部分に係止筒（５）、（６）を双方から突出させて設け、そして両端を接合したときに相互に嵌り合った係止筒（５）、（６）の穴に係止ピン（７）を差し込んで支柱（８）に装着するようにした請求項１記載のガードレール支柱の保護カバー。
【請求項３】
半割円筒（２）、（３）の内周中央に突帯（９）を設け、保護カバー（１）と支柱（８）間に空隙（１０）を持たせるようにした請求項１記載のガードレール支柱の保護カバー。
【考案の詳細な説明】
【技術分野】
【０００１】
この考案はガードレール支柱の保護カバーに関するものである。
【背景技術】
【０００２】
従来、路肩などの草刈り作業は、小型原動機付の草刈り機を使って行われているが、ガードレール周辺の作業は気を付けていても回転刃を支柱に当てて損傷し、また回転歯も欠損し、その破片が飛んでくる危険なことがしばしばあった。
【０００３】
かかる危険な草刈り作業による事故を防ぐためにガードレール支柱の基部に保護具を嵌着して支柱自体の保護、またはその周辺に雑草を茂らさないようにして安全作業を図る等の提案がいろいろと下記の特許文献に開示されている。然しながらいずれも支柱基部に環状の保護カバーをがっしりと固定したものであるから、回転歯が接触すると保護カバーが傷つき、また草刈機の回転歯が傷む、欠けるという問題があった。
【特許文献１】登録実用新案第３００４３１８号
【特許文献２】特開平９―１２５３３０号
【特許文献３】特開平１０―２９２３４１号
【特許文献４】登録実用新案第３０６１９８０号
【考案の開示】
【考案が解決しようとする課題】
【０００４】
本考案は、上記の問題を解決するために為されたもので、例え草刈機の回転刃が支柱の保護カバーに当たってもカバー自体が余り傷つかず、回転歯も傷まないようにする保護カバーを提供する。
【課題を解決するための手段】
【０００５】
本考案のガードレール支柱の保護カバーは、請求項１記載のようにガードレール支柱８に装着する保護カバー１を硬質樹脂または硬質ゴムで形成し、該支柱８に回転可能に装着するようにした。
【０００６】
また請求項２記載のように、保護カバーを縦に２分割した２個の半割円筒２、３に形成し、一方の接合部分をヒンジ４で連結し、他方側の接合部分に係止筒５、６を双方から突出させて設け、そして両端を接合したときに相互に嵌り合った係止筒５、６の穴に係止ピン７を差し込んで支柱８に装着するようにした。さらに請求項３記載のように、半割円筒２、３の内周中央に突帯９を設け、保護カバー１と支柱８間に空隙１０を持たせるようにしたこと等を特徴としている。
【考案の効果】
【０００７】
本考案によれば、ヒンジ連結した半割円筒を支柱の下部に嵌めこみ、ピン７を差し込むのみで装着が完了するので取り付け作業が極めて簡単容易である。従って現場で多数の支柱に次々と取り付ける必要があるが効率良く作業を進めることが出来る。
【０００８】
また硬質樹脂または硬質ゴム製の保護カバーを支柱の基部に浮かして装着したので草刈機の回転刃が当たっても保護カバーが軽く回転するので保護カバーの損傷も少なく、また回転刃も欠けることが無いなどの効果がある。
【考案を実施するための最良の形態】
【０００９】
硬質樹脂または硬質ゴムからなる円筒状の保護カバーをガードレール支柱に回転可能に装着する。また保護カバーを縦に２分割した２個の半割円筒２、３に形成し、一方の接合部分をヒンジ４で連結し、他方側の接合部分に係止筒５、６を双方から突出させて設け、そして両端を接合したときに相互に嵌り合った係止筒５、６の穴に係止ピン７を差し込んで支柱８に装着するようにした。
【実施例】
【００１０】
本考案の好適なひとつの実施例を以下図面に基づき説明する。硬質樹脂または硬質ゴムからなる本考案のガードレール支柱の保護カバー1は、図１に示すように支柱の直径よりもやや大きな内径の円筒を縦に２分割した２個の半割円筒２、３からなり、その半割りとした半割円筒２、３の一方の接合部分をヒンジ４で開閉自在に連結し、他方側の接合部分に縦方向に嵌り込んで結合する上下２段の係止筒５、６を双方から突出させて設けるようにした。そして両端を接合したときに相互に嵌り合った係止筒５、６の穴に係止ピン７を差し込んで支柱８に止めるようにした。
【００１１】
また半割円筒２、３の内周の中央部に突帯９を設けて保護カバー１を支柱８にセットしたときに突帯９のみが支柱８に当たり保護カバー１ほぼ全体が支柱８から浮いて空隙１０を持たせるようにしてある。
【００１２】
また前記ヒンジ４は、半割円筒２、３と一体であって、前述の両端接合部と同様にそれぞれの接合部側面に設けた上下２段の係止筒２ａ、３ａを双方から突出させて設け、両端を接合し、相互に嵌合した係止筒２ａ、３ａの穴に軸ピン１１を差し込んで連結するようにした。
【００１３】
この保護カバーをガードレール支柱に取り付ける場合は、ヒンジ連結した半割円筒を支柱の下部に嵌めこみ、ピン７を差し込むだけで取り付け作業が完了する。
【図面の簡単な説明】
【００１４】
【図１】本考案の保護カバー及び係止ピンの斜視図である。
【図２】本考案保護カバーをガードレール支柱に装着した状態の要部断面図である。
【符号の説明】
【００１５】
１  ガードレール支柱の保護カバー
２  半割円筒
３  半割円筒
４  ヒンジ
５  係止筒
６  係止筒
７  係止ピン
８  支柱
９  突帯
１０  空隙
【図１】
0003117228.tif 000003
【図２】
0003117228.tif 000004
【手続補正書】
【提出日】平成17年10月19日(2005.10.19)
【手続補正１】
【補正対象書類名】実用新案登録請求の範囲
【補正対象項目名】全文
【補正方法】変更
【補正の内容】
【実用新案登録請求の範囲】
【請求項１】
ガードレール支柱（８）に装着する保護カバー（１）を硬質樹脂または硬質ゴムで形成すると共に、保護カバー（１）の内周中央に突帯（９）を設けて保護カバー（１）と支柱（８）間に空隙（１０）を形成し、保護カバー（１）を該支柱（８）に回転可能に装着するようにしたガードレール支柱の保護カバー。
【請求項２】
前記保護カバーを縦に２分割した２個の半割円筒（２、３）に形成し、一方の接合部分をヒンジ（４）で連結し、他方側の接合部分に係止筒（５、６）を双方から突出させて設け、そして両端を接合したときに相互に嵌り合った係止筒（５、６）の穴に係止ピン（７）を差し込んで支柱（８）に装着するようにした請求項１記載のガードレール支柱の保護カバー。
【手続補正２】
【補正対象書類名】明細書
【補正対象項目名】０００５
【補正方法】変更
【補正の内容】
【０００５】
本考案のガードレール支柱の保護カバーは、請求項１記載のように、ガードレール支柱８に装着する保護カバー１を硬質樹脂または硬質ゴムで形成すると共に、保護カバー１の内周中央に突帯９を設けて保護カバー１と支柱８間に空隙１０を形成し、保護カバー１を該支柱８に回転可能に装着するようにした。
【手続補正３】
【補正対象書類名】明細書
【補正対象項目名】０００６
【補正方法】変更
【補正の内容】
【０００６】
また請求項２記載のように、保護カバーを縦に２分割した２個の半割円筒２、３に形成し、一方の接合部分をヒンジ４で連結し、他方側の接合部分に係止筒５、６を双方から突出させて設け、そして両端を接合したときに相互に嵌り合った係止筒５、６の穴に係止ピン７を差し込んで支柱８に装着するようにしたこと等を特徴としている。
【手続補正４】
【補正対象書類名】明細書
【補正対象項目名】０００８
【補正方法】変更
【補正の内容】
【０００８】
円筒状の保護カバーを硬質樹脂または硬質ゴムで形成すると共に、保護カバー１の内周中央に突帯９を設けて保護カバー１と支柱８間に空隙１０を形成し、保護カバー１をガードレール支柱に回転可能に装着する。また保護カバーを縦に２分割した２個の半割円筒２、３に形成し、一方の接合部分をヒンジ４で連結し、他方側の接合部分に係止筒５、６を双方から突出させて設け、そして両端を接合したときに相互に嵌り合った係止筒５、６の穴に係止ピン７を差し込んで支柱８に装着するようにした。